(57)【要約】【課題】配線材において互いに隣接する導体同士の短絡を防ぎながら小幅化が可能な電気接続アセンブリ及びそのコネクタを提供する。【解決手段】コネクタＣＮは、複数の端子２０と、複数の導体が配列方向に並んだ状態で前記各端子２０に接続されるように配線材１０を保持する端子保持部３２を有する絶縁ハウジング３０と、を備える。各端子２０は、被保持部２２と、被保持部２２から端子保持部３２の表面３２ａよりも外側に突出する外側突出部２４と、を有する。外側突出部２４は、第１方向に突出する第１突出部２６及び第１突出部２６から第１方向よりも端子保持部３２の表面と平行な方向に近い第２方向に延びる第２突出部２７を一体に含む。第２突出部２７の外側面が、第２方向に延びる導体と接続されることが可能な導体接続面２７ａを含む。【選択図】図１
2018010743.tif 000002
【特許請求の範囲】
【請求項１】
複数の導体を含む配線材と接続されることにより電気接続アセンブリを構成するコネクタであって、
前記複数の導体のそれぞれに対応する複数の端子と、
前記複数の導体がその長手方向と直交する配列方向に間隔をおいて並んだ状態で前記複数の端子にそれぞれ導通可能に接続されることを可能にするように前記複数の端子を当該複数の端子が前記配列方向に並ぶ配列で一括して保持する端子保持部を含む絶縁ハウジングと、を備え、
前記複数の端子のそれぞれは、前記絶縁ハウジングに保持される被保持部と、前記被保持部から前記端子保持部の表面よりも外側に突出する外側突出部と、を有し、
前記複数の端子のそれぞれの外側突出部は前記端子保持部の表面から第１方向に突出する第１突出部及び当該第１突出部から前記第１方向よりも前記端子保持部の表面と平行な方向に近い第２方向に延びる第２突出部を一体に含む曲がった形状を有し、
当該第２突出部の表面のうち前記端子保持部の表面と反対側の外側面が、前記配線材が前記第２方向に延びる状態で当該配線材の導体と接続されることが可能な形状の導体接続面を含み、
前記端子保持部は、前記複数の端子の前記導体接続面が前記配列方向に間隔をおいて並ぶように当該複数の端子の前記被保持部を保持する、コネクタ。
【請求項２】
請求項１記載のコネクタであって、前記第２突出部は前記外側面と反対側の面である内側面が前記端子保持部の表面よりも外側に離間した位置で前記第２方向に延びる、コネクタ。
【請求項３】
請求項１または２記載のコネクタであって、前記端子保持部は、前記複数の端子のうち前記配列方向に隣接する端子の導体接続面が前記配線材の長手方向に互いに位置をずらして並ぶように当該複数の端子の前記被保持部を保持する、コネクタ。
【請求項４】
請求項１〜３のいずれかに記載のコネクタであって、前記複数の端子は、前記端子保持部の表面を基準に前記導体接続面が第１の高さ位置にある第１の端子と、前記配線材の長手方向と平行な方向について当該第１の端子と隣り合う端子であって前記導体接続面が前記第１の高さ位置よりも高い第２の高さ位置にある第２の端子とを含む、コネクタ。
【請求項５】
請求項１〜４のいずれかに記載のコネクタであって、前記絶縁ハウジングは、前記端子保持部から前記第２方向と平行な方向に沿って延びかつ前記配線材を当該配線材が前記第２方向に沿って延びる姿勢で保持する配線材保持部をさらに有する、コネクタ。
【請求項６】
請求項１〜５のいずれかに記載のコネクタであって、前記複数の端子のそれぞれは、前記外側突出部と反対の側を向いて前記第１方向と平行な方向に延び、相手方端子と当該第１方向と平行な方向に嵌合可能な電気接触部を有する、コネクタ。
【請求項７】
電気接続アセンブリであって、
複数の導体を含む配線材と、
請求項１〜６のいずれかに記載のコネクタと、を備え、
前記複数の導体が前記第２方向に沿って延びかつ当該第２方向と直交する配列方向に間隔をおいて並んだ状態で前記複数の端子のそれぞれの導体接続面に接続されている、電気接続アセンブリ。
【発明の詳細な説明】
【技術分野】
【０００１】
本発明は、自動車等に使用される電気接続アセンブリ及びそのためのコネクタに関する。
【背景技術】
【０００２】
自動車等に用いられる配線材として、複数本の導体がその軸方向と直交する特定方向に配列された偏平状のものが知られている。当該配線材に含まれる前記複数本の導体を他の回路に接続する手段として、当該複数本の導体を端子及びハウジングを含むコネクタの当該端子に接続することが、行われる。
【０００３】
前記のような配線材に接続されるコネクタ及びこれを備えたアセンブリとして、当該接続がはんだ付けによって行われるものが特許文献１に記載されている。このコネクタは、複数の電線のそれぞれに対応する薄板状の複数の端子と、当該複数の端子を保持するハウジングと、を備える。当該ハウジングは平坦な端子配列面を有し、当該端子配列面上で前記複数の端子が露出するように当該複数の端子を保持する。一方、複数本の電線のそれぞれの端末では予め絶縁被覆が除去されて導体が露出しており、当該導体の先端が一列に揃うように前記複数本の電線が当該先端に近い部位で保持される。
【０００４】
前記コネクタにおいて、前記端子の表面に予めクリームはんだがセットされており、前記複数本の端子のそれぞれの導体の先端が前記クリームはんだ上に位置決めされた状態でヒータにより前記端子の表面に押圧されかつ前記クリームはんだが加熱されることにより、当該導体の先端と前記端子の表面とのはんだ付けが行われる。
【先行技術文献】
【特許文献】
【０００５】
【特許文献１】特開２０１０−１４６９３９号公報
【発明の概要】
【発明が解決しようとする課題】
【０００６】
前記コネクタ及びこれを備えた電気接続アセンブリでは、絶縁ハウジングの平坦な端子配列面上に複数の端子の表面が露出する状態で配列方向と平行な方向に並んでいるため、互いに隣接する端子同士の間隔を小さくすると、前記端子配列面上で接続用のはんだを媒介とした電線同士または端子同士の短絡が生じるおそれがある。換言すれば、当該短絡を回避するためには互いに隣接する端子同士の間隔を大きく設定する必要があり、このことは電気接続アセンブリ全体の小幅化の大きな妨げとなる。
【課題を解決するための手段】
【０００７】
本発明は、複数本の導体を含む配線材と接続されることにより電気接続アセンブリを構成するコネクタであって、互いに隣接する端子同士または導体同士の短絡を防ぎながら当該電気接続アセンブリの小幅化を可能にするものを提供することを目的とする。
【０００８】
提供されるのは、複数の導体を含む配線材と接続されることにより電気接続アセンブリを構成するコネクタであって、前記複数の導体のそれぞれに対応する複数の端子と、前記複数の導体がその長手方向と直交する配列方向に間隔をおいて並んだ状態で前記複数の端子にそれぞれ導通可能に接続されることを可能にするように前記複数の端子を当該複数の端子が前記配列方向に並ぶ配列で一括して保持する端子保持部を含む絶縁ハウジングと、を備える。前記複数の端子のそれぞれは、前記絶縁ハウジングに保持される被保持部と、前記被保持部から前記端子保持部の表面よりも外側に突出する外側突出部と、を有する。前記複数の端子のそれぞれの外側突出部は前記端子保持部の表面から第１方向に突出する第１突出部及び当該第１突出部から前記第１方向よりも前記端子保持部の表面と平行な方向に近い第２方向に延びる第２突出部を一体に含む曲がった形状を有し、当該第２突出部の表面のうち前記端子保持部の表面と反対側の外側面が、前記配線材が前記第２方向に延びる状態で当該配線材の導体と接続されることが可能な形状の導体接続面を含む。前記端子保持部は、前記複数の端子の前記導体接続面が前記配列方向に間隔をおいて並ぶように当該複数の端子の前記被保持部を保持する。
【０００９】
このコネクタでは、前記各端子が前記絶縁ハウジングの端子保持部の表面よりも外側に突出する外側突出部を有し、かつ、当該外側突出部は、前記端子保持部の表面から第１方向に突出する第１突出部及び当該第１突出部から前記第１方向よりも前記端子保持部の表面と平行な方向に近い第２方向に延びる第２突出部を一体に含む曲がった形状を有していて当該第２突出部の表面のうち前記端子保持部の表面と反対側の外側面が導体接続面を構成するから、当該導体接続面は前記端子保持部から前記第１方向に大きく離間した位置でかつ当該第１方向よりも前記端子保持部の表面と平行な方向に近い第２方向に延びる姿勢をとることができる。従って、当該導体接続面に沿って前記複数の導体のそれぞれの接続対象部位を前記端子保持部と干渉することなく安定した姿勢で接続することが可能であるとともに、当該端子同士の間隔を小さく抑えながらも、前記導体同士の短絡を有効に抑止することができる。
【００１０】
具体的に、前記第２突出部は前記外側面と反対側の面である内側面が前記端子保持部の表面よりも外側に離間した位置で前記第２方向に延びることが、好ましい。このような第２突出部をもつ端子は、これに隣り合う端子との短絡をより確実に回避することが可能である。
【００１１】
前記端子保持部は、前記複数の端子のうち前記配列方向に隣接する端子の導体接続面が前記配線材の長手方向に互いに位置をずらして並ぶように当該複数の端子の前記被保持部を保持することが、好ましい。この配置は、互いに隣接する端子同士の距離を十分に確保して当該端子同士の短絡を抑止しながら前記配列方向についての端子同士の間隔を縮めて電気接続アセンブリの小幅化を図ることを可能にする。
【００１２】
前記複数の端子は、前記絶縁ハウジングの端子保持部の表面を基準に前記導体接続面が第１の高さ位置にある第１の端子と、当該第１の端子と前記配線材の長手方向と平行な方向について隣り合う端子であって前記導体接続面が前記第１の高さ位置よりも高い第２の高さ位置にある第２の端子と、を含むことが、好ましい。このように、配線材の長手方向と平行な方向について互いに隣り合う第１及び第２端子の前記端子保持部の表面を基準とした導体接続面の高さ同士に差を与えることも、当該導体接続面同士の短絡の抑止にきわめて有効である。
【００１３】
一方、前記絶縁ハウジングは、前記端子保持部から前記第２方向と平行な方向に沿って延びかつ前記配線材を当該配線材が前記第２方向に沿って延びる姿勢で保持する配線材保持部をさらに有することが、好ましい。当該配線材保持部は、前記各端子の導体接続面に接続される各導体の姿勢を安定させて当該導体接続面と当該導体との接続部位に無理な力が作用するのを有効に抑止することができる。
【００１４】
また、前記複数の端子のそれぞれは、前記外側突出部と反対の側を向いて前記第１方向と平行な方向に延び、相手方端子と当該第１方向と平行な方向に嵌合可能な電気接触部を有してもよい。当該端子は、前記外側突出部の第１突出部と前記電気接触部とが互いに同じ方向に延びる単純な形状を有しながら、当該端子と相手方端子との接続と、前記導体同士の短絡を回避しながらの当該導体と当該端子との接続と、の双方を達成することを可能にする。
【００１５】
また本発明は、複数の導体を含む配線材と、前記のコネクタと、を備えた電気接続アセンブリであって、前記複数の導体が前記第２方向に沿って延びかつ当該第２方向と直交する配列方向に間隔をおいて並んだ状態で前記複数の端子のそれぞれの導体接続面に接続されているものを、提供する。この電気接続アセンブリによれば、前記のように配列方向に互いに隣接する端子同士の短絡を回避しながら当該配列方向についての端子同士の間隔を抑えることにより、互いに隣接する導体同士の間隔を抑えて電気接続アセンブリ全体の小幅化を図ることが可能である。
【発明の効果】
【００１６】
以上のように、本発明によれば、複数本の導体を含む配線材と接続されることにより電気接続アセンブリを構成するコネクタであって、互いに隣接する端子同士または導体同士の短絡を防ぎながら当該電気接続アセンブリの小幅化を可能にするものが、提供される。
【図面の簡単な説明】
【００１７】
【図１】本発明の第１の実施の形態に係る電気接続アセンブリの分解斜視図である。
【図２】前記電気接続アセンブリを構成するコネクタの平面図である。
【図３】前記コネクタの正面図である。
【図４】前記電気接続アセンブリを製造する方法において前記コネクタの各端子の導体接続面と電線の接続対象部位とを接続する工程を示す斜視図である。
【図５】図４に示される工程を示す断面側面図である。
【図６】図５において枠線ＶＩで囲まれた領域を拡大した図である。
【図７】前記端子の凹溝内に電線がセットされた状態を示す断面正面図である。
【図８】図４に示される工程を示す断面正面図である。
【図９】図８において枠線ＶＩＩＩで囲まれた領域を拡大した図である。
【図１０】前記コネクタの絶縁ハウジングにカバーが装着された状態を示す斜視図である。
【図１１】本発明の第２の実施の形態に係る電気接続アセンブリの製造方法において第１の端子の導体接続面とこれに対応する電線の接続対象部位とを接続する工程を示す側面図である。
【図１２】図１１において枠線ＸＩで囲まれた領域を拡大した図である。
【図１３】図１１のＸＩＩＩ−ＸＩＩＩ線に沿った断面を示す図である。
【図１４】本発明の第２の実施の形態に係る電気接続アセンブリの製造方法において第２の端子の導体接続面とこれに対応する電線の接続対象部位とを接続する工程を示す側面図である。
【図１５】図１４において枠線ＸＶで囲まれた領域を拡大した図である。
【図１６】図１４のＸＶＩ−ＸＶＩ線に沿った断面を示す図である。
【図１７】本発明の第３の実施の形態に係る電気接続アセンブリのコネクタの端子の斜視図である。
【図１８】図１７において枠線ＸＶＩＩＩで囲まれた領域を拡大した図である。
【発明を実施するための形態】
【００１８】
本発明の好ましい実施の形態を、図面を参照しながら説明する。
【００１９】
図１〜図１０は本発明の第１の実施の形態に係る電気接続アセンブリ及びその製造方法を示す。前記電気接続アセンブリは、複数本の電線１０と、当該複数本の電線１０を他のコネクタに接続するためのコネクタＣＮと、を備える。
【００２０】
前記複数本の電線１０のそれぞれは、図６及び図７に示すような導体１２と、当該導体１２を被覆する絶縁被覆である絶縁被膜１４と、を有する。前記複数本の電線１０は、その長手方向と直交する配列方向に間隔をおいて互いに平行に並んだ状態で前記コネクタＣＮに接続される。
【００２１】
前記コネクタＣＮは、前記複数の電線１０のそれぞれに対応する複数の端子２０と、当該複数の端子２０をまとめて保持する絶縁ハウジング３０と、を備える。
【００２２】
この実施の形態に係る前記複数の端子２０のそれぞれは、単一の長尺な金属板により構成された雄型端子であり、図５に示すような被保持部２２、電気接触部２３及び外側突出部２４を有する。前記被保持部２２は後述のように前記絶縁ハウジング３０に保持される部位である。前記電気接触部２３は、この実施の形態では雄型の接触部であって相手方端子の雌型の接触部と嵌合可能な形状を有する。具体的には、前記被保持部２２から後述の第１方向に直線状に延びる形状を有する。前記外側突出部２４は、前記被保持部２２から前記電気接触部２３と反対側に突出して前記複数の電線１０のうちの対応する電線１０に接続される部位である。当該外側突出部２４については後に詳述する。
【００２３】
前記絶縁ハウジング３０は、合成樹脂等の絶縁材料により成形されたもので、端子保持部３２と、フード３３と、電線保持部（配線材保持部）３４と、を一体に有する。
【００２４】
前記端子保持部３２は、前記複数の端子２０のそれぞれの前記被保持部２２を保持する部位であり、この実施の形態ではブロック状をなす。当該端子保持部３２は、電線１０が前記の配列方向に間隔をおいて並んだ状態で前記複数の端子２０の外側突出部２４にそれぞれ導通可能に接続されることを可能にするように前記複数の端子２０を当該複数の端子２０が前記配列方向に並ぶ配列で一括して保持する。
【００２５】
具体的に、当該端子保持部３２は、当該端子保持部３２を前記端子２０が前記第１方向と平行な方向に貫通する状態で当該端子２０の被保持部２２を保持する。前記第１方向は、前記端子２０に前記電線１０が接続された状態において当該電線１０の長手方向及び配列方向の双方に対して直交する方向であり、図５に示される姿勢では上方向である。つまり、図５に示される姿勢において前記端子２０のうち前記被保持部２２を含む部分が前記端子保持部３２を上下方向に貫通する。当該端子保持部３２への当該被保持部２２の固定は、当該端子保持部３２に設けられた貫通孔への当該被保持部２２の圧入により行われてもよいし、接着剤等により行われてもよい。
【００２６】
前記各端子２０の電気接触部２３は、前記のように被保持部２２が前記端子保持部３２に保持された状態で当該被保持部２２から前記第１方向と反対の方向（図５に示される姿勢では下方向）に延び、当該方向に前記相手方端子の雌型接触部と嵌合する。前記フード３３は、前記端子保持部３２と一体につながり、前記電気接触部２３の軸方向（図５に示される姿勢では上下方向）と直交する方向の外側で当該電気接触部２３を囲む筒状をなす。
【００２７】
前記各端子２０の外側突出部２４は、図６に示すような第１突出部２６、第２突出部２７及び第３突出部２８を一体に有する。前記第１突出部２６は、前記端子保持部３２の表面（図６では上面３２ａ）から前記第１方向（図６では上方向）に突出する。前記第２突出部２７は、前記第１突出部２６から前記第１方向よりも前記端子保持部３２の表面と平行な方向に近い方向であって前記配列方向と直交する第２方向（この実施の形態では前記上面３２ａと平行な方向；図６では左右方向）に延びる。前記第３突出部２８は、前記第２突出部２７の両端部のうち前記第１突出部２６と反対側の端部（図６では右側端部）から前記第１方向と反対の方向（図６では下方向）に延びる。
【００２８】
この第１の実施の形態では、前記第１突出部２６は、厳密には、前記端子保持部３２の上面３２ａから離れるに従って前記第１方向から前記第２方向に近づくように曲がった形状を有する。同様に、前記第３突出部２８は、前記第２突出部２７から遠ざかるに従って前記第１方向と反対の方向（図６では下方向）に近づくように曲がった形状を有する。
【００２９】
前記第２突出部２７の表面のうち、前記端子保持部３２の表面（図６では上面３２ａ）と反対側の面である外側面（図６では上面）は導体接続面２７ａを構成する。当該導体接続面２７ａは、その上に前記電線１０の導体１２の特定の部位である接続対象部位が載せられた状態で当該接続対象部位と例えばはんだ付けによって接続されることが可能な面である。この実施の形態に係る導体接続面２７ａは、前記端子保持部３２の上面３２ａと平行な方向に延びる。
【００３０】
さらに、この第１の実施の形態では、前記導体接続面２７ａに図７に示すような凹溝２９が形成されている。当該凹溝２９は、前記電線１０の長手方向に延びる凹部であり、当該凹溝２９に前記電線１０が嵌まり込むのを受け入れることにより当該電線１０の前記配列方向（端子２０の幅方向；図７では左右方向）の変位を規制する形状を有する。当該凹溝２９は、当該凹溝２９の底部に向かうに従って互いに前記配列方向と平行な方向に近づく向きに傾斜する一対の位置決め傾斜面２９ａ，２９ｂを有する。
【００３１】
前記第１突出部２６が前記端子保持部３２の上面３２ａから突出する寸法は、前記第２突出部２７の表面のうち前記端子保持部３２の上面３２ａと対向する面、つまり前記導体接続面２７ａと反対側の面である内側面（図６では下面）２７ｂ、が当該端子保持部３２の上面から外側（図６では上側）に離間した位置で前記第２突出部２７が前記第２方向に延びるように当該第２突出部２７を位置させる寸法に設定されている。
【００３２】
この第１の実施の形態では、前記端子保持部３２の上面３２ａよりも前記各外側突出部２４が外側に突出する寸法は、全て同一に設定されている。つまり、当該端子保持部３２は、前記各端子２０の導体接続面２７ａが同一平面上に並ぶように当該端子２０を保持する。このように、第１の実施の形態に係る端子２０は、それぞれの導体接続面２７ａが共通の平面上に並ぶ複数の平面配列端子に相当する。
【００３３】
さらに、この第１の実施の形態に係る端子保持部３２は、前記複数の端子２０の前記導体接続面２７ａが前記配列方向に間隔をおいて並ぶのに加え、前記複数の端子２０のうち前記配列方向に隣接する端子２０の導体接続面２７ａが前記電線１０の長手方向（図２の上下方向）に互いに位置をずらして並ぶように、当該複数の端子２０の被保持部２２を保持する。具体的に、図２に示される配列では、それぞれが前記導体接続面２７ａをもつ複数の外側突出部２４が前記電線１０の長手方向と平行な方向に並ぶ３本の列に沿って配列され、かつ、各列に配置される外側突出部２４の導体接続面２７ａの位置が当該列に隣接する列に配置される外側突出部２４の導体接続面２７ａの位置に対して前記配列方向にそれぞれずれている。
【００３４】
前記電線保持部３４は、前記端子保持部３２から前記第２方向と平行な方向に沿って延び、前記複数の電線１０のそれぞれを当該複数の電線１０が前記第２方向に沿って延びる姿勢で保持する。この第１の実施の形態に係る電線保持部３４は、前記各電線１０に対応した複数本の平行な電線保持溝３４ａを有し、当該電線保持溝３４ａに前記各電線１０が嵌まり込んだ状態で当該電線１０を下から支持する。
【００３５】
この第１の実施の形態に係る前記コネクタＣＮは、さらに、図１０に示すようなカバー４０を備える。当該カバー４０は、前記端子２０の外側突出部２４及びこれに接続される前記各電線１０を上から覆うように前記絶縁ハウジング３０に着脱可能に装着される。具体的に、この第１の実施の形態に係るカバー４０は、前記端子保持部３２を覆う端子カバー部４２と、前記電線保持部３４を覆う電線カバー部４４と、を一体に有する。
【００３６】
また、前記電線保持部３４には、当該電線保持部３４の上面すなわち前記電線保持溝３４ａが形成される面が前記第２方向の中間位置において下向きに凹むように湾曲する湾曲部３６を有する一方、前記カバー４０の電線カバー部４４の下面は、前記湾曲部３６に対応して下向きに膨出する湾曲部４６を有する。当該湾曲部４６と前記湾曲部３６は、前記各電線１０の中間部位を下向きに湾曲させた状態で当該中間部位を拘束することが可能な形状を有し、これにより、当該各電線１０の導体１２の接続対象部位と前記導体接続面２７ａとの接続箇所に電線１０の張力が作用することを有効に抑止する。
【００３７】
なお、前記電線保持部３４及び前記カバー４０は本発明において必須のものではなく、省略されることが可能である。逆に、前記各電線１０の導体１２の接続対象部位が当該電線１０の端末付近ではなく長手方向中間部位に設定される場合には、当該電線１０の長手方向について前記端子保持部３２の両側にそれぞれ前記電線保持部３４及びこれに対応する前記カバー４０の電線カバー部４４が設けられてもよい。
【００３８】
次に、前記電気接続アセンブリを製造するための方法について説明する。当該電気接続アセンブリは、例えば次の各工程を含む方法によって製造されることが可能である。
【００３９】
１）電線用意工程及びコネクタ用意工程
上述した複数の電線１０及びコネクタＣＮが予め用意される。さらに、この実施の形態に係る方法では、前記複数の電線１０として、各電線１０の絶縁被膜１４が特定の合成樹脂からなるものが用意される。当該特定の合成樹脂とは、常温で絶縁性を有する一方、後述の接続工程で用いられるはんだの溶融温度（例えば３８０〜４００°Ｃ）において溶融または分解されることが可能な合成樹脂である。当該特定の合成樹脂としては、ポリウレタン、ポリエステル、ナイロン等が好適である。
【００４０】
前記絶縁被膜１４の厚みは、常温状態で絶縁状態を確保しながら前記加熱によって当該絶縁被膜１４の除去及び前記導体１２の露出を達成できるような厚みに設定されることが好ましい。当該厚みには、例えば通常のエナメル線における絶縁被覆の厚みに近似した寸法が適用されることが可能である。
【００４１】
２）はんだセット工程
前記コネクタＣＮにおける複数の端子２０のそれぞれの導体接続面２７ａの上に、図６に示すようなはんだＳＤが予めセットされる。当該セットは、固形状のはんだＳＤが各導体接続面２７ａの上に載せられることにより行われてもよいし、ペースト状のはんだＳＤが各導体接続面２７ａに塗布されることにより行われてもよい。
【００４２】
３）接続工程
前記複数の電線１０が図１に示されるように前記配列方向に互いに間隔をおいて配列された状態を保持しながら当該複数の電線１０の長手方向中間領域において設定されている接続対象部位を、当該接続対象部位を前記絶縁被膜１４が覆ったままの状態で前記複数の端子２０のそれぞれの導体接続面２７ａに向けて押圧しかつ当該絶縁被膜１４を前記はんだＳＤとともに加熱することにより、当該接続対象部位を覆う前記絶縁被膜１４の溶融または分解による前記導体１２の表面からの除去と、当該絶縁被膜１４の除去により露出する前記導体１２と前記導体接続面２７ａとの前記はんだＳＤによる電気的接続と、が行われる。
【００４３】
前記複数の電線１０の保持は、前記接続対象部位を挟んでその両外側の位置、より好ましくは前記コネクタＣＮの前後方向（前記第２方向及び電線長手方向と平行な方向）の両端よりも両外側の位置を保持することにより、行われる。当該保持では、前記複数の電線１０のそれぞれに適度の張力が与えられながら当該電線１０が対応する導体接続面２７ａの上にセットされることが好ましい。当該保持は、例えば、前記複数の電線１０が巻き付けられるボビンや、前記各電線１０をその長手方向及び配列方向の双方に直交する方向の両側から挟み込む挟持具等によって、行われることが可能である。
【００４４】
この第１の実施の形態では、前記各導体接続面２７ａに図７に示されるような凹溝２９が形成されているので、前記各電線１０のうち接続対象部位に対応する部分は前記凹溝２９に嵌まり込むことにより導体接続面２７ａ上の適当な位置（一般には当該導体接続面２７ａの幅方向つまり配列方向の中央位置）に確実に位置決めされ、当該位置から配列方向に逸脱することが規制される。なお、図７では便宜上、導体接続面２７ａ上にセットされる前記はんだＳＤの図示が省略されている。
【００４５】
前記導体接続面２７ａに対する電線１０の押圧及び当該電線１０の絶縁被膜１４の加熱は、図４〜図６及び図８，図９に示されるヒータ５０を用いて効率的に行われることが、可能である。当該ヒータ５０は、加熱面５２を構成する平坦な下面を有する。前記各導体接続面２７ａ上に前記はんだＳＤを介してセットされた前記各電線１０に対して前記加熱面５２が上から押付けられること、つまり、前記加熱面５２と前記各導体接続面２７ａとの間に当該複数の導体接続面２７ａにそれぞれ対応する複数の接続対象部位及び前記はんだＳＤを挟んだ状態で当該加熱面５２が前記複数の導体接続面２７ａに向けて押圧されること、により、前記導体接続面２７ａに向けての前記導体１０の押圧と、前記ヒータ５２による前記はんだＳＤの加熱による溶融と、前記接続対象部位を覆う前記絶縁被膜１４の加熱による当該絶縁被膜１４の溶融または分解と、が同時に行われ、当該絶縁被膜１４の溶融または分解は、当該絶縁被膜１４を前記導体１２の表面から除去することを可能にする。
【００４６】
特に、この第１の実施の形態では、前記各導体接続面２７ａが同一平面上に並ぶように前記絶縁ハウジング３０の端子保持部３２が前記各端子２０を保持している、つまり前記各端子２０は前記平面配列端子を構成している、ので、単一の平面状の加熱面５２を用いて前記平面配列端子である各端子２０の導体接続面２７ａに前記各電線１０の導体１２の接続対象部位を同時に接続することが可能である。
【００４７】
しかも、前記各導体接続面２７ａは、前記各端子２０のうち前記端子保持部３２の上面３２ａから当該端子保持部３２の外側（図６等では上側）に突出する外側突出部２４に設けられていて前記上面３２ａから当該外側に離れた位置にあり、特にこの実施の形態では内側面２７ｂが前記上面３２ａから離れる位置にある第２突出部２７の外側面により前記導体接続面２７ａが構成されるので、前記はんだＳＤの溶融や前記絶縁被膜１４の溶融除去に伴う端子２０同士の短絡及び電線１０同士の短絡が有効に抑止される。従って、前記はんだＳＤのセットが例えばソリッドのはんだＳＤを複数の端子２０に跨って掛渡すような態様で行われたとしても、当該はんだＳＤは前記のように加熱されることにより当該はんだＳＤのもつ表面張力によって前記端子２０ごとに自ずと分割され、これにより、当該はんだＳＤを媒介とする短絡が防がれる。
【００４８】
さらに、前記のような外側突出部２４の突出は、前記端子２０の外側突出部２４を挟んでその両側の位置で前記電線１０を前記絶縁ハウジング３０の表面（好ましくは端子保持部３２の上面３２ａ）に押付けることにより、当該電線１０を図６に示すように当該外側突出部２４で外向きに凸となる形状に変形させる状態で前記接続工程を行うことを可能にする。図４〜図６に示される例では、前記ヒータ５０において予め設けられた押付け部５４であって前記加熱面５２よりもさらに外側に突出する部位と、前記ヒータ５０とは別に用意された押え部材６０と、の協働によって行われる。
【００４９】
このような電線１０の押付けは、前記導体接続面２７ａに対する前記接続対象部位の相対位置を確実に固定するとともに、接続されるべき前記接続対象部位以外の電線１０の部位がヒータ５０により加熱されることで当該部位の絶縁被膜１４が除去されてしまうことを有効に抑止する。このようにして、当該絶縁被膜１４の除去による電線１０同士の短絡がより有効に抑止される。
【００５０】
さらに、この第１の実施の形態に係る複数の端子２０は、当該複数の端子２０のうち前記配列方向に隣接する端子２０の導体接続面２７ａが前記電線１０の長手方向（図２の上下方向）に互いに位置をずらして並ぶように（図２に示される配列では、それぞれが前記導体接続面２７ａをもつ複数の外側突出部２４が前記電線１０の長手方向と平行な方向に並ぶ３本の列に沿って配列され、かつ、各列に配置される外側突出部２４の導体接続面２７ａの位置を当該列に隣接する列に配置される外側突出部２４の導体接続面２７ａの位置に対して前記配列方向にそれぞれずれるように）端子保持部３２に保持されているので、互いに隣接する導体接続面２７ａ同士の距離（電線１０の長手方向の成分と配列方向の成分との双方を含む方向の絶対距離）を大きく稼いで当該導体接続面２７ａ同士の間の短絡を防ぎながら配列方向についての導体接続面２７ａ同士の間隔を縮めて電気接続アセンブリ全体の小幅化をさらに進めることが可能である。
【００５１】
４）切断工程
前記のようにして接続工程が完了した後、電線１０の長手方向についてその適当な部位が切断される。この切断は、例えば、一対の切断具により前記電線１０の長手方向及び配列方向と直交する方向に当該電線１０を適当な切断位置で挟んでせん断することによって効率的に行われることが可能である。前記第１の実施の形態に係るコネクタＣＮは前記複数の電線１０の端末に接続されるものであり、よって、前記各電線１０は前記端子保持部３２を挟んで前記電線保持部３４と反対側の位置（好ましくは端子保持部３２の外側面のすぐ近傍の位置）で切断される。
【００５２】
当該切断工程の後、必要に応じて図１０に示すようなカバー４０が装着されることにより、電気接続アセンブリが完成する。
【００５３】
次に、本発明の第２の実施の形態を図１１〜図１６を参照しながら説明する。
【００５４】
前記第１の実施の形態に係るコネクタＣＮに含まれる端子２０は、全て平面配列端子である、つまり、当該端子２０に含まれる導体接続面２７ａが同一平面上に並ぶように保持される、のに対し、第２の実施の形態に係るコネクタＣＮは、端子保持部３２の上面３２ａを基準とする導体接続面２７ａの高さが互いに異なる第１の端子２０Ａと第２の端子２０Ｂとを含む。
【００５５】
前記第１の端子２０Ａと前記第２の端子２０Ｂは、前記電線１０の長手方向と平行な方向について互いに隣り合う端子である。具体的に、この第２の実施の形態では、図１に示すように前記電線１０の長手方向に並ぶ３列にわたって配列された端子２０のうち、当該長手方向の両外側の列に配置される端子２０はそのまま前記第１の端子２０Ａとして設定され、長手方向の中央の列に配置される端子２０に代えてこれよりも前記導体接続面２７ａの高さが大きい第２の端子２０Ｂが配置されている。つまり、第２の端子２０Ｂの導体接続面２７ａは、前記電線１０の長手方向について当該第２の端子２０Ｂの両側に位置する第１の端子２０Ａの導体接続面２７ａよりも高い位置（端子保持部３２の上面３２ａからより離れた位置）にある。
【００５６】
この第２の実施の形態においても、前記第１の実施の形態と同様にはんだセット工程が行われた後に当該はんだＳＤ及び各接続対象部位の加熱を行う接続工程が行われるが、当該接続工程では、図１１〜図１３に示される第１のヒータ５０Ａ及び図１４〜図１６に示される第２のヒータ５０Ｂを用いて、前記第１の端子２０Ａとこれに対応する電線１０の接続と、前記第２の端子２０Ｂとこれに対応する電線１０との接続と、が２段階にわたって行われる。
【００５７】
図１１〜図１３に示すように、前記第１のヒータ５０Ａは、前記第１の端子２０Ａが並べられる２つの列にそれぞれ対応する位置にある２つの第１の加熱面５２Ａを有し、当該第１の加熱面５２Ａ同士の間の部位５３は第２の端子２０Ｂとの干渉を避けるのに十分な寸法で前記第１の加熱面５２Ａよりも上側に凹んでいる。まず、当該第１のヒータ５０Ａの第１の加熱面５２Ａが当該第１の加熱面５２Ａと前記各第１の端子２０Ａにおける導体接続面２７ａとの間に各電線１０及び前記はんだＳＤを挟んだ状態で当該導体接続面２７ａに押付けられることにより、第１の実施の形態における接続工程と同様、前記はんだＳＤの溶融と前記接続対象部位を覆う絶縁被膜１４の溶融または分解による導体１２の表面からの除去とが同時に行われ、これにより、前記第１の端子２０Ａにおける導体接続面２７ａとこれに対応する接続対象部位との前記はんだＳＤによる電気的接続が行われる。
【００５８】
図１４〜図１６に示すように、前記第２のヒータ５０Ｂは、前記第１の実施の形態に係るヒータ５０と同じく単一の加熱面である第２の加熱面５２Ｂを有する。前記のようにして前記第１の端子２０Ａと前記電線１０との接続が完了した後、前記第２のヒータ５０Ｂの第２の加熱面５２Ｂが当該第２の加熱面５２Ｂと前記各第２の端子２０Ｂにおける導体接続面２７ａとの間に各電線１０及び前記はんだＳＤを挟んだ状態で当該導体接続面２７ａに押付けられることにより、前記第１の端子２０Ａと同様、前記第２の端子２０Ｂにおける導体接続面２７ａとこれに対応する導体１２の接続対象部位との前記はんだＳＤによる電気的接続が行われる。
【００５９】
この第２の端子２０Ｂについての２回目のはんだ接続は、前記第１の端子２０Ａの導体接続面２７ａよりも高い位置（端子保持部３２の上面３２ａよりも離れた位置）で行われるので、当該２回目のはんだ接続における加熱が前記第１の端子２０Ａの導体接続面２７ａに与える影響を小さく抑えることができる。このことは、当該２回目の加熱に起因して第１の端子２０Ａに係る電線１０の絶縁被膜１４がさらに除去されてしまうことを有効に抑止し、当該除去による短絡の発生を防ぐことを可能にする。
【００６０】
この第２の実施の形態においても、前記接続工程は、前記第１及び第２の端子２０Ａ，２０Ｂの外側突出部２４を挟んでその両側の位置で前記電線１０を端子保持部３２の上面３２ａに押付けて当該電線１０を当該外側突出部２４で外向きに凸となる形状に変形させることを含むのが、好ましい。図１１〜図１６に示される例では、当該押付けが専用の押え部材６０，６２を用いて行われている。
【００６１】
本発明は、以上説明した実施の形態に限定されない。本発明は、例えば次のような形態を含む。
【００６２】
Ａ）配線材について
本発明において用いられる配線材は、前記のように複数本の導体１２のそれぞれが個別に絶縁被膜１４により覆われて電線１０を構成するものに限定されない。当該配線材は、前記配列方向に互いに隣り合う導体をそれぞれ覆う絶縁被膜同士が一体につながったもの、例えばフラットケーブルやリボン電線であってもよい。あるいは、絶縁被覆を有しない複数の裸電線により構成されたものでもよい。
【００６３】
Ｂ）第３突出部について
本発明に係る端子の外側突出部の具体的な形状は限定されない。例えば、第３の実施の形態として図１７及び図１８に示される端子２０Ｃの外側突出部２４Ｃのように、第１突出部２６Ｃと第２突出部２７Ｃを有するが第３突出部は有しないものでもよい。この場合も、当該第２突出部２７Ｃの外側面（絶縁ハウジングの表面と反対側の面）が導体接続面２７ｃを構成することにより、互いに隣り合う導体接続面２７ｃ同士の短絡が有効に抑止される。また、当該導体接続面２７ｃにおいても、図１７及び図１８に示されるように接続対象部位のずれを防ぐための凹溝２９が形成されることが、より好ましい。
【００６４】
Ｃ）第１及び第２突出部について
本発明に係る第１突出部は、端子保持部の表面（前記各実施の形態では上面３２ａ）から特定の第１方向に突出するものであればよく、当該表面から離れた位置では必ずしも当該第１方向を向いていなくてもよい。例えば、第１及び第２の実施の形態に係る第１突出部２６，２６Ｃは、いずれも、端子保持部３２の上面３２ａから離れるに従って第１方向から第２方向に近づくように曲がった形状を有し、第２突出部２７，２７Ｃは当該第１突出部２６，２６Ｃの終端からそのまま第２方向に延長されている。逆に、前記第１突出部の全体が第１方向を向き、その終端から第２突出部が第２方向に延びていてもよい。換言すれば、外側突出部において第１方向から第２方向に移行するための曲がり部分の形状は、適宜設定されることが可能である。あるいは、当該外側突出部の形状は、第１方向に突出する第１突出部の上端に当該第１方向と直交する第２方向に延びる第２突出部の中間部分がつながる形状、いわゆるＴ字状であってもよい。
【００６５】
Ｄ）導体接続面と接続対象部位との接続について
前記第１及び第２の実施の形態では、ヒータによる加熱によってはんだの溶融と同時に絶縁被膜１４の溶融または分解による導体１２の表面からの除去が行われるが、当該絶縁被膜１４の除去は加熱の前に予め行われていてもよい。すなわち、複数の電線のそれぞれにおいて設定された接続対象部位における導体を露出させるように絶縁被覆がいわゆる皮剥ぎ処理によって接続工程の前に予め除去され、前記接続工程において前記のように露出した導体と導体接続面とのはんだ付けが直接的に行われてもよい。この場合、前記絶縁被覆を構成する材料は、必ずしもはんだの溶融温度で溶融または分解されるものでなくてもよい。また、配線材が複数の裸電線により構成される場合には前記絶縁被覆の除去を要しないことはいうまでもない。
【００６６】
さらに、前記接続のための具体的手段ははんだ付けに限定されない。当該接続は、加熱による他の接続手段、例えば溶接（レーザ溶接、超音波溶接、抵抗溶接等）によって行われてもよい。
【００６７】
Ｅ）絶縁ハウジングについて
本発明に係る絶縁ハウジングは、少なくとも複数の端子を保持する部分（第１の実施の形態では端子保持部３２）を含んでいればよい。例えば複数の端子が雌型の電気接触部を有するものである場合、第１の実施の形態に係るフード３３またはこれに類するものは省略されることが可能である。
【００６８】
Ｆ）切断工程について
前記切断工程は適宜省略が可能である。例えば、前記コネクタＣＮが（分岐接続用コネクタのように）前記配線材の中間部位に接続されるものである場合や、接続工程後の配線材の余長が存在しても支障のない場合は、前記切断工程が省略されてもよい。換言すれば、製品である電気接続アセンブリにおける各電線での接続対象部位、つまり当該電線においてコネクタの導体接続面に接続される部位、は任意に設定されることが可能である。
【符号の説明】
【００６９】
ＣＮ    コネクタ
１０    電線（配線材を構成）
１２    導体
１４    絶縁被膜（絶縁被覆）
２０，２０Ｃ  端子
２０Ａ  第１の端子
２０Ｂ  第２の端子
２２    被保持部
２３    電気接触部
２４，２４Ｃ  外側突出部
２６，２６Ｃ  第１突出部
２７，２７Ｃ  第２突出部
２７ａ，２７ｃ  導体接続面
２７ｂ  内側面
３０    絶縁ハウジング
３２    端子保持部
３２ａ  端子保持部の上面（表面）
３３    フード
３４    電線保持部（配線材保持部）
５０，５０Ａ，５０Ｂ  ヒータ
５２，５２Ａ，５２Ｂ  加熱面
６０    押え部材
【図１】
2018010743.tif 000003
【図２】
2018010743.tif 000004
【図３】
2018010743.tif 000005
【図４】
2018010743.tif 000006
【図５】
2018010743.tif 000007
【図６】
2018010743.tif 000008
【図７】
2018010743.tif 000009
【図８】
2018010743.tif 000010
【図９】
2018010743.tif 000011
【図１０】
2018010743.tif 000012
【図１１】
2018010743.tif 000013
【図１２】
2018010743.tif 000014
【図１３】
2018010743.tif 000015
【図１４】
2018010743.tif 000016
【図１５】
2018010743.tif 000017
【図１６】
2018010743.tif 000018
【図１７】
2018010743.tif 000019
【図１８】
2018010743.tif 000020